(57)【特許請求の範囲】
【請求項１】
印刷回路基板と、
前記印刷回路基板に設けられる振動子と、
前記印刷回路基板に実装され、電源供給の際に前記振動子の振動動力を提供する駆動部と、
前記駆動部を制御して前記振動子の振動状態を制御する制御部と、
前記駆動部及び制御部に電源を供給するバッテリーと、
前記印刷回路基板とバッテリーを一体的に連結する支持板と、
前記バッテリーの電源端子及び前記印刷回路基板に形成された前記駆動部の電源端子を電気的に連結する電源接続部材と、
前記バッテリーの電源端子及び電源接続部材間の接触領域に取り付けられ、前記バッテリーから分離されるとき、前記バッテリーの電源端子と電源接続部材間の接触を許容する絶縁部材とを
含み、
前記印刷回路基板には、前記バッテリー及び振動子の挿入及び固定のためのバッテリー孔と振動子孔がそれぞれ形成され、前記バッテリーは少なくとも一部が前記バッテリー孔に挿入固定され、前記振動子は少なくとも一部が前記振動子孔に挿入固定されることを特徴とする、皮膚マッサージ用振動モジュール。
【請求項２】
前記支持板は柔軟性を有する素材からなることを特徴とする、請求項１に記載の皮膚マッサージ用振動モジュール。
【請求項３】
前記バッテリーと振動子は、振動モジュールの柔軟性増加のために、前記支持板の楕円形一面を基準に長軸方向の両端にそれぞれ位置するように前記支持板に固定されることを特徴とする、請求項２に記載の皮膚マッサージ用振動モジュール。
【請求項４】
前記制御部は、前記駆動部をパルス幅変調（ＰＷＭ：ｐｕｌｓｅ ｗｉｄｔｈ ｍｏｄｕ
ｌａｔｉｏｎ）方式で制御し、二つ以上の相異なる出力パルスを前記駆動部に出力し、前記二つ以上の相異なる出力パルスは前もって設定された基準によって順次出力されるか、あるいは前もって選択されたいずれか一種のみが継続出力されることを特徴とする、請求項１に記載の皮膚マッサージ用振動モジュール。
【請求項５】
前記印刷回路基板には、前記駆動部の電源供給のための電源端子が形成されることを特徴とする、請求項１に記載の皮膚マッサージ用振動モジュール。
【請求項６】
前記絶縁部材はシート状に形成され、前記バッテリーに前記電源端子を遮るように着脱可能に取り付けられることを特徴とする、請求項１に記載の皮膚マッサージ用振動モジュール。
【請求項７】
前記支持板の一面に、前記振動子と人体皮膚間の直接接触を防止する緩衝パッドが付着されることを特徴とする、請求項１に記載の皮膚マッサージ用振動モジュール。
【請求項８】
前記印刷回路基板はフレキシブル回路基板（ＦＰＣＢ：ＦｌｅｘｉｂｌｅＰｒｉｎｔｅｄ Ｃｉｒｃｕｉｔ Ｂｏａｒｄ）からなることを特徴とする、請求項１に記載の皮膚マ
ッサージ用振動モジュール。
【請求項９】
前記駆動部は、振動モーター、ソレノイド（Ｓｏｌｅｎｏｉｄ）、圧電（Ｐｉｅｚｏ）素子、及び線形振動器（ＬｉｎｅａｒＶｉｂｒａｔｏｒ）のいずれか一つであることを特徴とする、請求項１に記載の皮膚マッサージ用振動モジュール。
【発明の詳細な説明】
【技術分野】
【０００１】
本発明は皮膚マッサージ用振動モジュールに係り、特に柔軟性を有する支持板に振動子とその駆動部及び駆動部の制御部が設けられた印刷回路基板とバッテリーが取り付けられて一体的に連結されるので、振動モジュールの体積及び厚さの最小化かつ柔軟性の確保が可能であるとともに、振動子の振動を振動モジュール全体の振動として人体皮膚に伝達することができるので、振動子のサイズに比べて比較的に広い人体皮膚領域に振動を伝達することができ、携帯性が向上する皮膚マッサージ用振動モジュールに関するものである。
【背景技術】
【０００２】
人が美を追い求めるのは本能であり、よってきれいで美しい皮膚を持とうとする熱望から皮膚を整えて若さを維持しようとする努力は人類の歴史と共に多様に続いてきた。
【０００３】
我が国の場合も過去から美を追い求めるために多様な努力を傾けてきたことが書籍などから確認することができ、近年にはこのような傾向がもっと高くなり、男女を問わず美容に対する関心が非常に高くなる趨勢である。
【０００４】
そして、前述したように、美の追求において皮膚は非常に重要な事案であり、この中でも特に顔面の皮膚は外貌の美しさを決定する重要な要素の一つであるとともに印象にも大きな影響を及ぼす。
【０００５】
したがって、性別や年齢などにかかわらず、大多数の人々が自分の皮膚を保護して管理しようとする努力をしており、このような趨勢に合わせるために、皮膚の手入れに役立つ多様な商品が提供されている。例えば、顔面皮膚管理に使われる商品として皮膚保湿用化粧品、栄養クリーム、化粧マスクなどがある。
【０００６】
この中で、パッチは顔面の皮膚をしっとりした状態で維持させながら弾力も有するようにするものなので、女性たちが特に好む化粧道具の一種である。そして、パッチの種類を大別すれば、部分パッチと全面パッチ（通常、化粧マスク、マスクパックなどの用語として使われ、以下の説明では“化粧マスク”という）に分けられる。ここで、化粧マスクは顔面を覆うことができるように形成されたシートに液状の美容塗布剤を含有した形態に製造される。
【０００７】
また、近年には化粧品を単純に皮膚に塗るとか、化粧マスクを顔面に付けるとかして皮膚自体の吸収力にだけ寄ることから脱し、化粧マスクの有効成分や化粧品が皮膚についた状態で該当皮膚に少しの物理的な刺激や振動を加えることで皮膚吸収力を向上させる器具が提供されている。
【０００８】
図１は化粧マスクの有効成分や化粧品が顔面の皮膚にもっとよく染みこむように皮膚に人為的な刺激を与える従来の器具（以下、“皮膚刺激器具”と言う）を示した図である。同図に示したように、従来の皮膚刺激器具は、パッチ１０、皮膚接触部２０、及び振動器３０からなる。
【０００９】
パッチ１０は顔面の局所部位に付けるもので、このようなパッチ１０はその大きさ及び顔面に付ける数に制限はない。
【００１０】
皮膚接触部２０はシリコン材からなり、パッチ１０が付けられてない顔の少なくとも一部に付けられるものであり、このような皮膚接触部２０はシリコン材からなって接着力を有する。
【００１１】
振動器３０は電源部４０と振動発生部３１とからなり、振動発生部３１の底面にはシリコン材の接着部が付着される。そして、振動発生部３１はモーターの回転によって振動を発生させるもので、このような振動発生部３１は既存の振動を発生させる技術であり、９０００〜１５０００（ｒｐｍ）の容量を有することが好ましい。
【００１２】
前記のように構成される従来の皮膚補助器具の作用について説明すれば、使用者は振動を加えようとする顔の部位にパッチをつけた後、パッチが下側に位置した状態で皮膚接触部を顔に付ける。ついで、使用者は振動器の接着部をパッチが位置する皮膚接触部の領域に付けた後、振動器に電源を供給してその振動をパッチ及び顔の皮膚に伝達するようになる。ここで、振動器の接着部と皮膚接着部がシリコン材からなって互いに接着されるので、使用者は振動器を手で握っていなくても良い。
【００１３】
しかし、前記のような従来の皮膚刺激器具は、振動器の振動発生部と電源部が所定長さの電線を介して連結される形態であるので、振動発生部が独立的に動作することができなくて電源部を常に一緒に備えていなければならない。これにより皮膚刺激器具の体積が相対的に大きくて携帯が不便である。また、比較的小さな振動発生部のみが皮膚の刺激に実際に作用するだけであり、電源部に含まれる殆どの構成は皮膚に刺激を与える作用とまったく無関係である。これにより、振動発生部周辺の比較的狭小な皮膚領域だけに刺激を加えることができ、結果として顔の皮膚の比較的広い領域に均一な刺激を加えるためには多数の振動発生部が必要となる。
【００１４】
そして、従来の皮膚刺激器具は、電源部の電源を断続する別途のスイッチを備え、このようなスイッチのオン／オフ操作によって振動器に電源を供給する形態であるので、電源構造が比較的複雑であるとともに相対的に大きな体積を有するようになる。そして、このような現象を無くすために、スイッチを省略する場合、振動動作を停止させるために、いつも振動器の電源連結用ジャックを電源部から分離しなければならない不便がある。
【００１５】
また、従来の皮膚刺激器具は、その振動発生部がモーターの回転数変化による単純な振動強弱の調節のみ可能であるので、多様な皮膚マッサージ機能を提供することができなくて機能的な限界がある。
【発明の概要】
【発明が解決しようとする課題】
【００１６】
したがって、本発明は前記のような問題点を解決するためになされたもので、柔軟性を有する支持板に振動子とその駆動部及び駆動部の制御部が設けられた印刷回路基板及びバッテリーが取り付けられて一体的に連結されることにより、振動モジュールの体積及び厚さの最小化かつ柔軟性の確保が可能であるとともに振動子の振動を振動モジュール全体の振動として人体皮膚に伝達することができるので、振動子の大きさに比べて比較的広い人体皮膚領域に振動を伝達することができる皮膚マッサージ用振動モジュールを提供することに目的がある。
【００１７】
また、本発明は、振動子を駆動する駆動部の電源供給構造が薄型端子及びシート型絶縁体によるスイッチング構造からなり、ボタンなどの操作部が含まれた比較的複雑なスイッチ構成を含まないことによる全体構造の単純化及び体積最小化を具現しながらも、バッテリーの駆動部への電源供給を絶縁部材のスイッチング機能によって断続でき、振動子の作動時にだけバッテリーが消耗されるようにする皮膚マッサージ用振動モジュールを提供することに目的がある。
【００１８】
また、本発明は、パルス幅変調（ＰＷＭ：ｐｕｌｓｅ ｗｉｄｔｈ ｍｏｄｕｌａｔｉｏｎ）方式で振動子の駆動部を制御する制御部によって振動子の振動方式が単純な強弱の調節から進一歩して、多様な方式の振動によって皮膚マッサージ効果を向上させるようにする皮膚マッサージ用振動モジュールを提供することに目的がある。
【００１９】
また、本発明は、振動モジュール全体の柔軟性を確保して、人体の皮膚屈曲に応じて円滑に曲がりながら皮膚に密着してそれによる振動伝達機能を向上させることができる皮膚マッサージ用振動モジュールを提供することに目的がある。
【００２０】
また、本発明は、振動モジュール全体にわたって振動の伝達が可能であって振動伝達の領域は相対的に拡大しながらも全体積は相対的に縮小して携帯性が向上する皮膚マッサージ用振動モジュールを提供することに目的がある。
【課題を解決するための手段】
【００２１】
前記のような目的を達成するために、本発明による皮膚マッサージ用振動モジュールは、印刷回路基板と、前記印刷回路基板に設けられる振動子と、前記印刷回路基板に実装され、電源供給の際に前記振動子の振動動力を提供する駆動部と、前記駆動部を制御して前記振動子の振動状態を制御する制御部と、前記駆動部及び制御部に電源を供給するバッテリーと、前記印刷回路基板とバッテリーを一体的に連結する支持板と、前記バッテリーの電源端子及び前記印刷回路基板に形成された前記駆動部の電源端子を電気的に連結する電源接続部材と、前記バッテリーの電源端子及び電源接続部材間の接触領域に取り付けられ、前記バッテリーから分離されるとき、前記バッテリーの電源端子と電源接続部材間の接触を許容する絶縁部材とを含んでなる。
【００２２】
また、前記支持板は柔軟性を有する素材からなることを特徴とする。
【００２３】
また、前記バッテリーと振動子は、振動モジュールの柔軟性増加のために、前記支持板の楕円形一面を基準に長軸方向の両端にそれぞれ位置するように前記支持板に固定されることを特徴とする。
【００２４】
また、前記制御部は前記駆動部をパルス幅変調（ＰＷＭ：ｐｕｌｓｅ ｗｉｄｔｈ ｍｏｄｕｌａｔｉｏｎ）方式で制御し、二つ以上の相異なる出力パルスを前記駆動部に出力し、前記二つ以上の相異なる出力パルスは前もって設定された基準によって順次出力されるかあるいは前もって選択されたいずれか一種だけが継続出力されることを特徴とする。
【００２５】
また、前記印刷回路基板には、前記バッテリー及び振動子の挿入及び固定のためのバッテリー孔と振動子孔がそれぞれ形成され、前記バッテリーは少なくとも一部が前記バッテリー孔に挿入固定され、前記振動子は少なくとも一部が前記振動子孔に挿入固定されることを特徴とする。
【００２６】
また、前記印刷回路基板には、前記駆動部の電源供給のための電源端子が形成されることを特徴とする。
【００２７】
また、前記絶縁部材はシート状に形成され、前記バッテリーに前記電源端子を遮るように着脱可能に取り付けられることを特徴とする。
【００２８】
また、前記支持板の一面に前記振動子と人体皮膚間の直接接触を防止する緩衝パッドが付着されることを特徴とする。
【００２９】
また、前記印刷回路基板はフレキシブル回路基板（ＦＰＣＢ：Ｆｌｅｘｉｂｌｅ Ｐｒｉｎｔｅｄ Ｃｉｒｃｕｉｔ Ｂｏａｒｄ）からなることを特徴とする。
【００３０】
また、前記駆動部は、振動モーター、ソレノイド（Ｓｏｌｅｎｏｉｄ）、圧電（Ｐｉｅｚｏ）素子、及び線形振動器（Ｌｉｎｅａｒ Ｖｉｂｒａｔｏｒ）のいずれか一つであることを特徴とする。
【発明の効果】
【００３１】
本発明によれば、柔軟性を有する支持板に振動子とその駆動部及び駆動部の制御部が設けられる印刷回路基板及びバッテリーが取り付けられ一体的に連結されるので、振動モジュールの体積及び厚さの最小化かつ柔軟性の確保が可能であるとともに振動子の振動を振動モジュール全体の振動として人体皮膚に伝達することができるので、振動子の大きさに比べて比較的広い人体皮膚領域に振動を伝達することができるようになる。
【００３２】
また、振動子を駆動する駆動部の電源供給構造が薄型端子及びシート型絶縁体によるスイッチング構造からなり、ボタンなどの操作部が含まれた比較的複雑なスイッチ構成を含まないことによる全体構造の単純化及び体積の最小化を具現しながらも、バッテリーの駆動部への電源供給を絶縁部材のスイッチング機能によって断続でき、振動子の作動時にだけバッテリーが消耗されるようにすることができる。
【００３３】
また、パルス幅変調（ＰＷＭ：ｐｕｌｓｅ ｗｉｄｔｈ ｍｏｄｕｌａｔｉｏｎ）方式で振動子の駆動部を制御する制御部によって振動子の振動方式が単純な強弱の調節から進歩して、多様な方式の振動によって、撫で、擦り、掴み、押し、叩きなど、人の手によるマッサージ作用と類似したマッサージ効果を提供することができる。
【００３４】
また、振動モジュール全体の柔軟性を確保して人体の皮膚屈曲に応じて円滑に曲がりながら皮膚に密着してそれによる振動伝達機能の向上が可能である。
【００３５】
また、振動モジュール全体にわたって振動伝達が可能であるので、振動伝達領域は相対的に拡大しながらも全体積は相対的に縮小して携帯性が向上する。
【図面の簡単な説明】
【００３６】
【図１】従来の皮膚マッサージ用振動器具を示した斜視図である。
【図２】本発明の一実施例による皮膚マッサージ用振動モジュールを示した斜視図である。
【図３】本発明の一実施例による皮膚マッサージ用振動モジュールの側面図である。
【図４ａ】本発明の一実施例による皮膚マッサージ用振動モジュールにおいて制御部の出力パルス類型によって色々の異なる形態に振動する振動子のマッサージ作用をイメージ化した図である。
【図４ｂ】本発明の一実施例による皮膚マッサージ用振動モジュールにおいて制御部の出力パルス類型によって色々の異なる形態に振動する振動子のマッサージ作用をイメージ化した図である。
【図４ｃ】本発明の一実施例による皮膚マッサージ用振動モジュールにおいて制御部の出力パルス類型によって色々の異なる形態に振動する振動子のマッサージ作用をイメージ化した図である。
【図４ｄ】本発明の一実施例による皮膚マッサージ用振動モジュールにおいて制御部の出力パルス類型によって色々の異なる形態に振動する振動子のマッサージ作用をイメージ化した図である。
【図４ｅ】本発明の一実施例による皮膚マッサージ用振動モジュールにおいて制御部の出力パルス類型によって色々の異なる形態に振動する振動子のマッサージ作用をイメージ化した図である。
【図４ｆ】本発明の一実施例による皮膚マッサージ用振動モジュールにおいて制御部の出力パルス類型によって色々の異なる形態に振動する振動子のマッサージ作用をイメージ化した図である。
【図４ｇ】本発明の一実施例による皮膚マッサージ用振動モジュールにおいて制御部の出力パルス類型によって色々の異なる形態に振動する振動子のマッサージ作用をイメージ化した図である。
【図４ｈ】本発明の一実施例による皮膚マッサージ用振動モジュールにおいて制御部の出力パルス類型によって色々の異なる形態に振動する振動子のマッサージ作用をイメージ化した図である。
【図４ｉ】本発明の一実施例による皮膚マッサージ用振動モジュールにおいて制御部の出力パルス類型によって色々の異なる形態に振動する振動子のマッサージ作用をイメージ化した図である。
【図５】本発明の一実施例による皮膚マッサージ用振動モジュールの背面図である。
【発明を実施するための形態】
【００３７】
以下、添付図面に基づいて本発明の一実施例による皮膚マッサージ用振動モジュールを詳細に説明する。
【００３８】
図２は本発明の一実施例による皮膚マッサージ用振動モジュールを示した斜視図である。図３は本発明の一実施例による皮膚マッサージ用振動モジュールの側面図である。
【００３９】
図示したように、本発明の一実施例による皮膚マッサージ用振動モジュール１００は、印刷回路基板１１０、振動子１２０、駆動部１３０、制御部１４０、バッテリー１５０、支持板１６０、電源接続部材１７０、及び絶縁部材１８０を含んでなる。
【００４０】
印刷回路基板１１０は、その一面に振動子１２０が設置されるとともに駆動部１３０と制御部１４０が実装される。よって、印刷回路基板１１０にはバッテリー１５０と駆動部１２０及び制御部１３０間の電気的接続のための回路パターンが形成される。そして、印刷回路基板１１０はフレキシブル回路基板（ＦＰＣＢ：Ｆｌｅｘｉｂｌｅ Ｐｒｉｅｎｔｅｄ Ｃｉｒｃｕｉｔ Ｂｏａｒｄ）から形成されることができ、これは皮膚マッサージ用振動モジュール１００が皮膚の屈曲に応じて緩やかに曲がりながら膚表面に密着する機能を一層向上させるためである。
【００４１】
振動子１２０は印刷回路基板１１０に設置され、駆動部１３０の駆動によって動力を受けて振動する。このような振動子１２０はその振動によって使用者の皮膚に刺激を加えるものである。すなわち、振動子１２０は皮膚マッサージ用振動モジュール１００において皮膚マッサージを行う直接的な部分であるとともに皮膚マッサージのための動力を皮膚マッサージ用振動モジュール１００の全体に伝達する部分である。そして、このような振動子１２０は印刷回路基板１１０及び支持板１６０に形成される振動子孔１６０ａに挿設できる。
【００４２】
これは、皮膚マッサージ用振動モジュール１００の全体の厚さを減らすためのもので、言い換えれば振動子１２０が印刷回路基板１１０のいずれか一面に設置されるとき、皮膚マッサージ用振動モジュール１００の全体の厚さは振動子１２０の厚さに印刷回路基板１１０及び支持板１６０の厚さを加えたものとなる。よって、印刷回路基板１１０と支持板１６０に振動子孔１６０ａを形成し、このような振動子孔１６０ａに振動子１２０を挿設することで、皮膚マッサージ用振動モジュール１００の全体の厚さから印刷回路基板１１０及び支持板１６０の厚さの分だけが差し引かれて皮膚マッサージ用振動モジュール１００の全体の厚さを減らすことができる。
【００４３】
駆動部１３０は印刷回路基板１１０に実装され、バッテリー１５０から電源を受ける。このような駆動部１３０は振動子１２０に動力を提供する。このような駆動部１３０は、振動モーター、ソレノイド（Ｓｏｌｅｎｏｉｄ）、圧電（Ｐｉｅｚｏ）素子、及び線形振動器（Ｌｉｎｅａｒ Ｖｉｂｒａｔｏｒ）のいずれか一つから形成されることができる。
【００４４】
制御部１４０は印刷回路基板１１０に実装され、駆動部１３０の動作を制御して振動子１２０の振動状態を多様に調節する。このような制御部１４０は、パルス幅変調（ＰＷＭ：Ｐｕｌｓｅ ｗｉｄｔｈ ｍｏｄｕｌａｔｉｏｎ）方式で駆動部１３０の動作を制御する。すなわち、制御部１４０はパルス幅変調方式の制御によって駆動部１３０を多様な形態に動作させる。この際、制御部１４０は二つ以上の相異なる出力パルスを出力し、出力パルスは、前もって設定された基準によって、二つ以上の相異なる出力パルスが順次出力される形態、あるいは前もって選択されたいずれか一種だけが継続出力される形態であることができる。そして、振動子１２０はこのような多様な出力パルス及びそれによる駆動部１３０の動作状態によって、撫で、擦り、掴み、押し、叩きなどの多様な形態のマッサージ機能を提供するように振動することができる。
【００４５】
図４を参照すれば、図４（ａ）〜図４（ｉ）は制御部１４０から駆動部１３０に出力される出力パルスの類型によって色々の異なる形態に振動する振動子のマッサージ作用をイメージ化したものである。すなわち、図面において濃く表示された部分は振動子の振動が伝達される部分にあたり、余白部分は振動子の振動が停止するかあるいはない部分にあたる。
【００４６】
図４（ａ）は比較的強い振動が同一強度で所定時間持続する形態を示したものであり、図４（ｂ）は比較的強い振動が同一強度で短時間の間に短い間隔で繰り返される形態を示したものであり、図４（ｃ）は比較的強い振動が同一強度で所定時間ずつ短い間隔で繰り返される形態を示したものである。また、図４（ｄ）は弱い振動で始まり、その振動が徐々に強くなって所定時間持続する形態を示したものであり、図４（ｅ）は図４（ｄ）と反対に強い振動で始まり、その振動が徐々に弱くなって所定時間持続する形態を示したものである。図４（ｆ）は弱い振動で始まり、その振動が徐々に強くなって頂点を成してからさらに振動が徐々に弱くなる形態を示したものである。その外に、図４（ｇ）から図４（ｉ）についての説明は省略する。
【００４７】
また、図２及び図３に戻り、バッテリー１５０は支持板１６０に設置され、電源接続部材１７０を介して駆動部１３０及び制御部１４０に電源を提供する。このようなバッテリー１５０は支持板１６０に形成されるバッテリー孔１６０ｂに挿設されることができる。これは皮膚マッサージ用振動モジュール１００の全体の厚さを減らすためのもので、前述した振動子１２０が振動子孔１６０ａに挿設されるものと同様な概念であるので、これについての詳細な説明は省略する。
【００４８】
支持板１６０は印刷回路基板１１０とバッテリー１５０を一体型に連結するために提供される。ここで、支持板１６０は皮膚マッサージ用振動モジュール１００の柔軟性の確保のために柔軟素材から形成されることができる。また、支持板１６０の楕円形一面を基準に、バッテリー１５０と振動子１２０が支持板１６０の長軸方向の両端にそれぞれ実装される形態であることができる。よって、支持板１６０は、前記長軸の中央部に素子が実装されないことによって、これを基準に弾性を発揮してより高い柔軟性を有することができる。
【００４９】
電源接続部材１７０は、バッテリー１５０の電源端子（図示せず）及び印刷回路基板１１０に形成された駆動部１３０の電源端子（図示せず）を電気的に連結する。言い換えれば、駆動部１３０は電源接続部材１７０を介してバッテリー１５０の電源を受ける。また、印刷回路基板１１０の電源端子は制御部１４０に対する電源供給の機能をすることもでき、これによって印刷回路基板１１０には電源端子と駆動部１３０及び制御部１４０を並列で連結する回路パターンが形成される。
【００５０】
絶縁部材１８０はバッテリー１５０の電源端子及び電源接続部材１７０間の接触領域に取り付けられる。すなわち、絶縁部材１８０はバッテリー１５０に取り付けられ、バッテリー１５０の電源端子と電源接続部材１７０間の電気的接続を遮断し、この絶縁部材１８０がバッテリー１５０から分離されるとき、バッテリー１５０の電源端子と電源接続部材１７０間の電気的接続が形成される。ここで、絶縁部材１８０がバッテリー１５０に着脱可能に取り付けられ、絶縁部材１８０の着脱によってバッテリー１５０の電源端子と電源接続部材１７０間の電気的接続を制御し、駆動部１３０に対するバッテリー１５０の電源印加を断続することができる。
【００５１】
すなわち、絶縁部材１８０がバッテリー１５０の電源端子及び電源接続部材１７０間のスイッチング動作をすることができる。この際、皮膚マッサージ用振動モジュール１００は別途のスイッチ構造を持たないながらも、絶縁部材１８０のスイッチング機能によって使用時にだけバッテリー１５０の電源が消耗されるようにすることができる。言い換えれば、スイッチの省略による皮膚マッサージ用振動モジュール１００の体積縮小は可能でありながらも、バッテリー１５０は振動子１２０の動作時にだけ消耗されるようにすることができる。
【００５２】
また、この実施例においては、絶縁部材１８０が薄シート状に形成され、バッテリー１５０に電源端子を遮るように着脱可能に取り付けられる形態を例としたが、本発明がこれに限定されるものではないし、絶縁部材１８０はバッテリー１５０の電源端子領域に着脱可能でありながらもバッテリー１５０の電源端子と電源接続部材１７０間の電源印可が可能な条件の下で多様に変形実施可能である。
【００５３】
そして、図５は本発明の一実施例による皮膚マッサージ用振動モジュールの背面図であり、バッテリー１５０と振動子１２０が印刷回路基板１１０及び支持板１６０に形成されたバッテリー孔１６０ｂ及び振動子孔１６０ａにそれぞれ挿入固定された状態を例示したものである。そして、皮膚マッサージ用振動モジュール１００の背面（支持板の背面）に緩衝パッド（図示せず）が付着されることができるものである。このような緩衝パッドは、振動子１２０と人体の皮膚との間の直接接触を防止する機能をする。図５においては、バッテリー孔１６０ｂと振動子孔１６０ａ及びそれに挿入固定されたバッテリー１５０と振動子１２０の一面を表示するために緩衝パッドの図示を省略した。また、緩衝パッドは不織布または液状を含んだシートなどの多様な形態から実施されることができる。
【００５４】
前述したような図２〜図５の実施例から分かるように、本発明の皮膚マッサージ用振動モジュール１００は、柔軟性を有する支持板１６０に振動子１２０とその駆動部１３０及び駆動部１３０の制御部１４０を設けられた印刷回路基板１１０及びバッテリー１５０が取り付けられ一体的に連結されるので、振動モジュールの体積及び厚さの最小化かつ柔軟性の確保が可能であるとともに振動子１２０の振動を振動モジュール全体の振動として人体皮膚に伝達することができるので、振動子の大きさに比べて比較的広い人体皮膚領域に振動を伝達することができる。
【００５５】
また、振動子１２０を駆動する駆動部１３０の電源供給構造が薄型端子及びシート型絶縁部材１８０によるスイッチング構造からなり、ボタンなどの操作部が含まれた比較的複雑なスイッチ構成を含まないことによる全体構造の単純化及び体積の最小化を具現しながらも、バッテリー１５０の駆動部１３０に対する電源供給を絶縁部材１８０のスイッチング機能によって断続することができるので、振動子１２０の作動時にだけバッテリーが消耗される。
【００５６】
また、パルス幅変調（ＰＷＭ：ｐｕｌｓｅ ｗｉｄｔｈ ｍｏｄｕｌａｔｉｏｎ）方式で振動子１２０の駆動部１３０を制御する制御部１４０によって振動子１２０の振動方式が単純な強弱の調節から進一歩して、多様な方式の振動によって、撫で、擦り、掴み、押し、叩きなどの如く人の手によるマッサージ作用と類似したマッサージ効果を提供することができる。
【００５７】
また、振動モジュール全体の柔軟性が確保され、人体の皮膚屈曲に応じて円滑に曲がりながら皮膚に密着し、それによる振動伝達機能が向上する。
【００５８】
また、振動モジュール全体にわたって振動伝達が可能であって、振動伝達領域は相対的に拡大しながらも全体積は相対的に縮小して携帯性が向上する。
【００５９】
以上説明したものは本発明による皮膚マッサージ用振動モジュールを実施するための一実施例に過ぎないもので、本発明は前述した実施例に限定されなく、以下の請求範囲で請求するような本発明の要旨を逸脱することなしに本発明が属する分野で通常の知識を有する者であれば誰でも多様な変更実施可能な範囲まで本発明の技術的精神があると言える。
【符号の説明】
【００６０】
１００    皮膚マッサージ用振動モジュール
１１０    印刷回路基板
１２０    振動子
１３０    駆動部
１４０    制御部
１５０    バッテリー
１６０    支持板
１６０ａ    振動子孔
１６０ｂ    バッテリー孔
１７０    電源接続部材
１８０    絶縁部材
【図１】
0005830607.tif 000002
【図２】
0005830607.tif 000003
【図３】
0005830607.tif 000004
【図４ａ】
0005830607.tif 000005
【図４ｂ】
0005830607.tif 000006
【図４ｃ】
0005830607.tif 000007
【図４ｄ】
0005830607.tif 000008
【図４ｅ】
0005830607.tif 000009
【図４ｆ】
0005830607.tif 000010
【図４ｇ】
0005830607.tif 000011
【図４ｈ】
0005830607.tif 000012
【図４ｉ】
0005830607.tif 000013
【図５】
0005830607.tif 000014